(57)【要約】【課題】  ビニル袋への袋詰め作業と処理場での分別・粉砕作業を不要にし、廃棄コスト及び運搬の効率化を図ることができる生ゴミ粉砕運搬車を提供する。【解決手段】  タンク車輌の車体後部に生ゴミＡを粉砕する粉砕機４を設け、粉砕機４とタンク３との間に三方弁６を途中位置に備えたホース５を配管し、三方弁６とタンク３との間のホース５の位置に粉砕物Ｂをタンク３へ送出及びタンク３から排出させる送排ポンプ７を設け、三方弁６の切り替え先に排出ホース８を配管し、三方弁６と送排ポンプ７の切り替えでタンク３への粉砕物Ｂの収容と排出を行うようにした。【選択図】図２
2007230720.tif 000002
【特許請求の範囲】
【請求項１】
タンク車輌の車体に生ゴミを粉砕する粉砕機を設け、粉砕機とタンクとの間に三方弁を途中位置に備えたホースを配管し、三方弁とタンクとの間のホース位置に粉砕物をタンクへ送出及びタンクから排出させる送排ポンプを設け、三方弁の切り替え先に排出ホースを配管し、収集した生ゴミをその場で粉砕してタンクに収容して運搬できるようにしたことを特徴とする、生ゴミ粉砕運搬車。
【請求項２】
粉砕機をホース接続側が下方となるように傾斜させて設置し、傾斜により粉砕機内の粉砕物がホースに排出され易くした、請求項１記載の生ゴミ粉砕運搬車。
【請求項３】
タンクを傾斜により車体から離間可能に設け、傾斜によりタンク内の粉砕物を排出させ易くした、請求項１又は２記載の生ゴミ粉砕運搬車。
【請求項４】
タンク離間時に車体にかかる荷重で収容した粉砕物の重量を計量する計量装置を備えた、請求項３記載の生ゴミ粉砕運搬車。
【発明の詳細な説明】
【技術分野】
【０００１】
本発明は生ゴミを収集して運搬するゴミ収集車に関し、詳しくは収集した生ゴミをその場で粉砕することで、収集前の袋詰め・処理場での粉砕分別作業を省略できるようにした生ゴミ粉砕運搬車に関する。
【背景技術】
【０００２】
従来、食品工場やレストラン等から排出される食品残渣等の生ゴミは一旦ビニル袋に袋詰めし、これをゴミ収集車で収集して処理場に運搬し、処理場で焼却処分している。したがって、廃棄する際はビニル袋が別途必要でコストや手間がかかるとともに運搬時に嵩張って効率が悪く、さらに処理場で焼却処理され、食品資源の再生が出来ない問題があった。
【特許文献１】特開２００４−２９９８１２号公報
【発明の開示】
【発明が解決しようとする課題】
【０００３】
本発明が解決しようとする課題は、従来のこれらの問題点を解消し、ビニル袋への袋詰め作業と資源化のための分別・粉砕作業を不要にし、廃棄コスト及び運搬の効率化を図ることができる生ゴミ粉砕運搬車を提供することにある。
【課題を解決するための手段】
【０００４】
かかる課題を解決した本発明の構成は、
１）タンク車輌の車体に生ゴミを粉砕する粉砕機を設け、粉砕機とタンクとの間に三方弁を途中位置に備えたホースを配管し、三方弁とタンクとの間のホース位置に粉砕物をタンクへ送出及びタンクから排出させる送排ポンプを設け、三方弁の切り替え先に排出ホースを配管し、収集した生ゴミをその場で粉砕してタンクに収容して運搬できるようにしたことを特徴とする、生ゴミ粉砕運搬車
２）粉砕機をホース接続側が下方となるように傾斜させて設置し、傾斜により粉砕機内の粉砕物がホースに排出され易くした、前記１）記載の生ゴミ粉砕運搬車
３）タンクを傾斜により車体から離間可能に設け、傾斜によりタンク内の粉砕物を排出させ易くした、前記１）又は２）記載の生ゴミ粉砕運搬車
４）タンク離間時に車体にかかる荷重で収容した粉砕物の重量を計量する計量装置を備えた、前記３）記載の生ゴミ粉砕運搬車
にある。
【発明の効果】
【０００５】
本発明によれば、収集現場で生ゴミを直接粉砕して運搬するから、廃棄時のビニル袋への袋詰め作業と処理場での分別作業を省略できるようになる。また、ビニル袋を省略するとともに粉砕することで減容され、タンクの本来の容積分の生ゴミを嵩張ることなく効率的に運搬できるようになる。
【発明を実施するための最良の形態】
【０００６】
本発明では、粉砕機をホース接続側が下方となるように傾斜させて設置すると、傾斜により粉砕機内の粉砕物がホースに排出され易く、作業が能率良く行えて好ましい。また、タンクを傾斜により車体から離間可能に設けると、傾斜によりタンク内の粉砕物を排出させ易く、作業が能率良く行えて好ましい。車体にはタンク離間時に車体にかかる荷重で収容した粉砕物の重量を計量する計量装置を備え、生ゴミ収集時に重量を計量できるようにしてもよい。以下、本発明の実施例を図面に基づいて具体的に説明する。
【実施例１】
【０００７】
図１は実施例の生ゴミ粉砕運搬車の側面図、図２は実施例の生ゴミ粉砕運搬車の後面図、図３は実施例の粉砕機の説明図、図４は実施例の送排ポンプの説明図、図５は実施例のロードセルと昇降装置の説明図、図６は実施例の生ゴミ粉砕運搬車の処理系統を示す説明図である。
【０００８】
図中、１は生ゴミ粉砕運搬車、２はシャシーフレーム、３はタンク、３ａはサブフレーム、４は粉砕機、４ａは円筒体、４ｂは蓋、４ｃは排出口、４ｄは回転刃、４ｅは操作部、４ｆは土台、４ｇはモータ、５はホース、６は三方弁、７は送排ポンプ、７ａはケーシング、７ｂは出力軸、７ｃはフレキシブルシャフト、７ｄは雄ねじ形ロータ、７ｅは雌ねじ形ステータ、８は排出ホース、９はロードセル、９ａはピン、１０は昇降装置、１０ａは伸縮規制スイッチ、Ａは生ゴミ、Ｂは粉砕物である。
【０００９】
本実施例の生ゴミ粉砕運搬車１は、図１，２に示すようにシャシーフレーム２上にタンク３を前方が昇降できるように傾倒可能に設け、シャシーフレーム２の後部に粉砕機４を設置し、粉砕機４とタンク３との間に電動式の三方弁６を途中位置に備えたホース５を配管し、三方弁６とタンク３との間のホース５の位置に粉砕物Ｂをタンク３へ送出及びタンク３から排出させる送排ポンプ７を設け、三方弁６の切り替え先に排出ホース８を配管している。
【００１０】
粉砕機４は、図３に示すように円筒体４ａ内にモータ４ｇで回転する回転刃４ｄを底部で軸支し、円筒体４ａの下部側面に排出口４ｃを形成してホース５と接続し、円筒体４ａの上面に蓋４ｂを開閉自在に取り付けている。この粉砕機４を土台４ｆでシャシーフレーム２上に排出口４ｃ側が下方となるように傾斜させて設置している。
【００１１】
送排ポンプ７は一軸偏心ねじポンプで構成され、図４に示すようにケーシング７ａの一端にモータの出力軸７ｂを配置し、出力軸７ｂにフレキシブルシャフト７ｃを介して雄ねじ形ロータ７ｄを連結し、ケーシング７ａの雄ねじ形ロータ７ｄが配置する内壁に雌ねじ形ステータ７ｅを形成し、モータの正逆回転で雄ねじ形ロータ７ｄを雌ねじ形ステータ７ｅ内で偏心回転させて粉砕物Ｂを送排できるようにしている。三方弁６と送排ポンプ７の操作部は運転席に設置している（図示せず）。
【００１２】
タンク３の後端には図５（ａ）に示すようにロードセル９を取り付けてシャシーフレーム２にピン９ａで回動自在に軸支し、タンク３の下部にはシャシーフレーム２上に載置するサブフレーム３ａを取り付け、タンク３の前上部とシャシーフレーム２との間には図５（ｂ）に示すように油圧シリンダによる伸縮でタンク３を傾倒させる昇降装置１０を軸支し、昇降装置１０の下端の軸支部にロードセル９を取り付けている。なお、図５（ａ）ではホース５と三方弁６と排出ホース８を省略して図示している。
【００１３】
本実施例では、図６に示すように生ゴミＡはポリバケツ等に収容されており、排出場所に生ゴミ粉砕運搬車１を移動し、粉砕機４の蓋４ｂを開放して生ゴミＡを粉砕能力分投入し、操作部４ｅで駆動操作する。生ゴミＡは回転刃４ｄの回転により円筒体４ａ内で一定時間粉砕され、この時点で粉砕前と比較して１／２程に減容される。
【００１４】
十分に粉砕されると、三方弁６をホース５側に切り替えておき、粉砕機４を停止して送排ポンプ７を正回転駆動する。円筒体４ａ内の粉砕物Ｂは円筒体４ａの傾斜と送排ポンプ７による負圧でホース５へ排出され、ホース５を通じてタンク３内に送り込まれる。続いて、残りの生ゴミＡを粉砕機４で粉砕してタンク３へ送り込み、これを繰り返して生ゴミＡを全て収集する。収集後は図１（ｂ）に示すように昇降装置１０でタンク３を傾倒して前後のロードセル９でタンク３内の粉砕物Ｂの重量を計量する。
【００１５】
処理場へ運搬した後は、三方弁６を排出ホース８側に切り替え、送排ポンプ７を逆回転駆動する。タンク３内の粉砕物Ｂは送排ポンプ７による負圧でホース５から三方弁６で転向し、排出ホース８へ送り込まれて外部に排出される。排出された粉砕物Ｂは既に粉砕済みであるから、別途粉砕処理することなく脱水のみ行った後に食品循環資源化しやすくなる。
【００１６】
以上説明したように、本実施例によれば収集現場で生ゴミＡを直接粉砕して収集するから、廃棄時のビニル袋への袋詰め作業と処理場での粉砕・分別作業を省略できるようになった。また、ビニル袋を省略するとともに粉砕することで減容され、タンク３の本来の容積分の生ゴミＡを嵩張ることなく効率的に運搬できるようになった。
【産業上の利用可能性】
【００１７】
本発明の生ゴミ粉砕運搬車は、魚・野菜市場，野菜加工工場，漬物加工工場，水産加工工場，スーパー，レストラン，生花市場，ホテル，学校，給食センター，福祉センター，堆肥・肥料工場，飼料工場，一般家庭等から排出される生ゴミの収集に有用である。
【図面の簡単な説明】
【００１８】
【図１】実施例の生ゴミ粉砕運搬車の側面図である。
【図２】実施例の生ゴミ粉砕運搬車の後面図である。
【図３】実施例の粉砕機の説明図である。
【図４】実施例の送排ポンプの説明図である。
【図５】実施例のロードセルと昇降装置の説明図である。
【図６】実施例の生ゴミ粉砕運搬車の処理系統を示す説明図である。
【符号の説明】
【００１９】
１  生ゴミ粉砕運搬車
２  シャシーフレーム
３  タンク
３ａ  サブフレーム
４  粉砕機
４ａ  円筒体
４ｂ  蓋
４ｃ  排出口
４ｄ  回転刃
４ｅ  操作部
４ｆ  土台
４ｇ  モータ
５  ホース
６  三方弁
７  送排ポンプ
７ａ  ケーシング
７ｂ  出力軸
７ｃ  フレキシブルシャフト
７ｄ  雄ねじ形ロータ
７ｅ  雌ねじ形ステータ
８  排出ホース
９  ロードセル
９ａ  ピン
１０  昇降装置
１０ａ  伸縮規制スイッチ
Ａ  生ゴミ
Ｂ  粉砕物
【図１】
2007230720.tif 000003
【図２】
2007230720.tif 000004
【図３】
2007230720.tif 000005
【図４】
2007230720.tif 000006
【図５】
2007230720.tif 000007
【図６】
2007230720.tif 000008